(57)【要約】【課題】ＵＥが要求するサービスの要件により動的に通信制御装置を選択することができる通信接続方法及び通信システムを提供する。【解決手段】本実施形態の通信システム１において、サービス特定部５２が、接続要求したＵＥ１０によって使用されるサービスを特定する。そして、ＳＧＷ選択部５５が、サービス特定部５２によって特定されたサービスに基づいてＳＧＷ６０を選択する。そして、接続要求部５６は、ＳＧＷ選択部５５によって選択されたＳＧＷ６０へ接続する。これにより、サービスに即したＳＧＷ６０を選択することができる。よって、ＵＥ１０が要求するサービスの要件や端末の移動状態の条件により動的にＳＧＷ６０を選択することができる。【選択図】図５
2017017379.tif 000002
【特許請求の範囲】
【請求項１】
ユーザ端末と、前記ユーザ端末のデータの送受信を行う装置である第１の通信制御装置と、前記ユーザ端末のデータの経路設定を前記第１の通信制御装置に対して行う第２の通信制御装置とを含む通信システムによる通信接続方法であって、
接続要求したユーザ端末によって使用されるサービスを特定するサービス特定ステップと、
前記サービス特定ステップにより特定されたサービスに基づいて前記第１の通信制御装置を選択する選択ステップと、
前記選択ステップにより選択された第１の通信制御装置へ接続する接続ステップと、を含む通信接続方法。
【請求項２】
前記選択ステップは、複数の第１の通信制御装置の中から前記サービスに対応する第１の通信制御装置を選択する、請求項１に記載の通信接続方法。
【請求項３】
前記通信システムにおける前記第２の通信制御装置を決定するための第３の通信制御装置が、前記ユーザ端末の属性を取得する属性取得ステップと、
前記第３の通信制御装置が、前記属性取得ステップにより取得されたユーザ端末の属性に基づいて、前記第１の通信制御装置へ接続する第２の通信制御装置を決定する決定ステップと、
をさらに含む請求項１又は２に記載の通信接続方法。
【請求項４】
前記属性取得ステップは、前記ユーザ端末の属性として、当該ユーザ端末の移動状態を示す情報を取得する、請求項３に記載の通信接続方法。
【請求項５】
前記ユーザ端末の移動状態を示す情報を取得する移動状態取得ステップをさらに含み、
前記選択ステップは、前記移動状態取得ステップにより取得されたユーザ端末の移動状態を示す情報にさらに基づいて第１の通信制御装置を選択する、請求項１又は２に記載の通信接続方法。
【請求項６】
前記サービス特定ステップは、前記ユーザ端末によって使用される複数のサービスを特定し、
前記選択ステップは、前記サービス特定ステップによって特定された複数のサービス毎に前記第１の通信制御装置を選択する、請求項１〜５の何れか一項に記載の通信接続方法。
【請求項７】
ユーザ端末と、前記ユーザ端末のデータの送受信を行う装置である第１の通信制御装置と、前記ユーザ端末のデータの経路設定を前記第１の通信制御装置に対して行う第２の通信制御装置とが接続する通信システムであって、
接続要求したユーザ端末によって使用されるサービスを特定するサービス特定手段と、
前記サービス特定手段により特定されたサービスに基づいて前記第１の通信制御装置を選択する選択手段と、
前記選択手段により選択された第１の通信制御装置へ接続する接続手段と、を備える通信システム。
【発明の詳細な説明】
【技術分野】
【０００１】
本発明は、通信接続方法および通信システムに関する。
【背景技術】
【０００２】
従来、Ａｔｔａｃｈ要求したＵＥ（User Equipment）の端末タイプに基づいてＭＭＥ（Mobility Management Entity）を選択し、選択されたＭＭＥが負荷情報に基づいてＳＧＷ（Serving Gateway）を選択することが、非特許文献１に記載されている。
【先行技術文献】
【非特許文献】
【０００３】
【非特許文献１】３ＧＰＰ  ＴＳ  ２３．４０１
【発明の概要】
【発明が解決しようとする課題】
【０００４】
しかしながら、上記従来技術によると、各ＳＧＷにおける割当可能なリソースに基づいてＳＧＷを選択する手段しかない。よって、ＵＥが要求するサービスの要件に適合しない通信制御装置を選択してしまう可能性があるという問題がある。
【０００５】
そこで、本発明は、上記問題点を解決するために、ＵＥが要求するサービスの要件により動的にＳＧＷのような通信制御装置を選択することができる通信接続方法及び通信システムを提供することを目的とする。
【課題を解決するための手段】
【０００６】
上述の課題を解決するために、本発明に係る通信接続方法は、ユーザ端末と、ユーザ端末のデータの送受信を行う装置である第１の通信制御装置と、ユーザ端末のデータの経路設定を第１の通信制御装置に対して行う第２の通信制御装置とを含む通信システムによる通信接続方法であって、接続要求したユーザ端末によって使用されるサービスを特定するサービス特定ステップと、サービス特定ステップにより特定されたサービスに基づいて第１の通信制御装置を選択する選択ステップと、選択ステップにより選択された第１の通信制御装置へ接続する接続ステップと、を含む。
【０００７】
また、本発明の通信システムは、ユーザ端末と、ユーザ端末のデータの送受信を行う装置である第１の通信制御装置と、ユーザ端末のデータの経路設定を第１の通信制御装置に対して行う第２の通信制御装置とが接続する通信システムであって、接続要求したユーザ端末によって使用されるサービスを特定するサービス特定手段と、サービス特定手段により特定されたサービスに基づいて第１の通信制御装置を選択する選択手段と、選択手段により選択された第１の通信制御装置へ接続する接続手段と、を備える。
【０００８】
この発明によれば、接続要求したユーザ端末によって使用されるサービスを特定し、特定されたサービスに基づいて第１の通信制御装置を動的に選択する。これにより、ユーザが要求するサービスを適切に提供することができる。よって、ユーザ端末（ＵＥ）が要求するサービスの要件（例えば、サービスを実行するためのネットワークの要件）により動的に通信制御装置を選択することができる。
【０００９】
また、本発明の通信接続方法において、選択ステップは、複数の第１の通信制御装置の中から前記サービスに対応する第１の通信制御装置を選択してもよい。この場合、複数の第１の通信制御装置の中からサービスに対応する第１の通信制御装置を選択するので、サービスに最適な第１の通信制御装置を動的に選択することができる。
【００１０】
また、本発明の通信接続方法において、通信システムにおける第２の通信制御装置を決定するための第３の通信制御装置が、ユーザ端末の属性を取得する属性取得ステップと、第３の通信制御装置が、属性取得ステップにより取得されたユーザ端末の属性に基づいて、第１の通信制御装置へ接続する第２の通信制御装置を決定する決定ステップと、をさらに含む。
【００１１】
この場合、第３の通信制御装置が、ユーザ端末の属性に基づいて第２の通信制御装置を選択するので、当該第２の通信制御装置によって、適切な第１の通信制御装置が選択されうる。
【００１２】
また、本発明の通信接続方法において、属性取得ステップは、ユーザ端末の属性として、当該ユーザ端末の移動状態を示す情報を取得する。これにより、例えば、ユーザ端末が移動している場合のみ、モビリティ制御をする通信制御装置を選択することが可能となる。したがって、ユーザが必要としていない機能を有する通信制御装置を選択してしまう可能性を低減することができる。この結果、ユーザ端末の要件を満たしつつコストを低減することができる。
【００１３】
また、本発明の通信接続方法において、ユーザ端末の移動状態を示す情報を取得する移動状態取得ステップをさらに含み、選択ステップは、移動状態取得ステップにより取得されたユーザ端末の移動状態を示す情報にさらに基づいて第１の通信制御装置を選択する。この場合、ユーザ端末が移動していれば、モビリティ制御が可能な通信制御装置を選択し、ユーザ端末が移動していなければ、モビリティ制御を考慮せずに通信制御装置を選択することができる。よって、ユーザ端末（ＵＥ）が要求するサービスの要件により動的に通信制御装置を選択することができる。従って、サービス要件以外の機能を有する通信制御装置を使用してしまう可能性を低減することができるので、各サービスの要件を満たしつつコストを低減することができる。
【００１４】
また、本発明の通信接続方法において、サービス特定ステップは、ユーザ端末によって使用される複数のサービスを特定し、選択ステップは、サービス特定ステップによって特定された複数のサービス毎に第１の通信制御装置を選択する。この場合、サービス単位で適切な第１の通信制御装置を選択するので、ユーザ端末（ＵＥ）が要求するサービスの要件により動的に通信制御装置を選択することができる。すなわち、単一のユーザ端末上で実行される複数のサービスの要件に合わせて、個別に第１の通信制御装置を選択するので、各サービスの要件を満たしつつ、第１の通信制御装置の使用に関するコストを低減させることができる。
【発明の効果】
【００１５】
本発明によれば、ユーザ端末（ＵＥ）が要求するサービスの要件や端末の移動状態の条件により動的に通信制御装置を選択することができる。
【図面の簡単な説明】
【００１６】
【図１】本発明の一実施形態に係る通信システムのシステム構成を示す図である。
【図２】ＭＭＥ情報記憶部３３が記憶する情報のデータ構造を示す図である。
【図３】加入者情報記憶部４１が記憶する情報のデータ構造を示す図である。
【図４】ＳＧＷ情報記憶部５３が記憶する情報のデータ構造を示す図である。
【図５】ＭＭＥ選択装置３０及びＭＭＥ５０の機能を説明する図である。
【図６】ＭＭＥ選択装置３０及びＭＭＥ５０のハードウェア構成を説明する図である。
【図７】ＭＭＥ選択装置３０がＭＭＥ５０に含まれている場合のアタッチ処理を示すシーケンス図である。
【図８】ＭＭＥ選択装置３０がスタンドアロンである場合のアタッチ処理を示すシーケンス図である。
【図９】ＭＭＥ選択装置３０が、ｅＮｏｄｅＢ２０に含まれている場合のアタッチ処理を示すシーケンス図である。
【図１０】ＵＥ１０が新たなサービス要求を行った場合におけるＳＧＷの選択処理を示すシーケンス図である。
【図１１】ＴｒａｃｋｉｎｇＡｒｅａの変更処理を示すシーケンス図である。
【図１２】Ｈａｎｄｏｖｅｒ処理を示すシーケンス図である。
【図１３】移動状態に基づいたＭＭＥを選択する例を示すための図である。
【発明を実施するための形態】
【００１７】
以下、添付図面を参照して、本発明を実施するための形態を詳細に説明する。なお、図面の説明においては同一要素には同一符号を付し、重複する説明を省略する。
【００１８】
図１は、本発明の一実施形態の通信システム１のシステム構成図である。この通信システム１は、ｅＮｏｄｅＢ２０、ＭＭＥ（Mobility Management Entity）選択装置３０（第３の通信制御装置）、ＨＳＳ４０、ＭＭＥ５０（第２の通信制御装置）、及びＳＧＷ（Serving Gateway）６０（第１の通信制御装置）を含んで構成されている。スマートフォン、タブレット端末を含むＵＥ（User Equipment）１０（ユーザ端末）は、この通信システム１と通信接続することにより通信を行うことができる。
【００１９】
ｅＮｏｄｅＢ２０は、ＭＭＥ１２に接続された無線基地局であるとともに、無線アクセス制御機能を有した通信制御装置である。ｅＮｏｄｅＢ２０は、ＵＥ１０から発信があった際の受付制御機能や、他のＵＥ１０からＵＥ１０に着信があった際にＵＥ１０を呼び出すページング機能を基本機能として有している。
【００２０】
ＭＭＥ選択装置３０は、ＵＥ１０からアタッチ要求（位置登録要求）があった際に、接続するＭＭＥ５０を選択する装置である。ＭＭＥ選択装置３０は、ＭＭＥ５０の性能・機能を示すＭＭＥ情報を記憶するデータベース（ＭＭＥ情報記憶部３３）を有している。ここで、ＭＭＥ情報の例を図２に示す。ＭＭＥ情報は、ＭＭＥグループＩＤと、当該ＭＭＥグループＩＤに対応する機能・性能（例えば、低コスト、低遅延等）とを対応付けた情報を含む。ＭＭＥグループＩＤとは、機能・性能が共通するＭＭＥをグループ化したＩＤである。ＭＭＥ情報の機能・性能は、図示したように各機能・性能に該当するか否かを示すことにより、それぞれのＭＭＥグループＩＤの機能・性能を示す情報である。ＭＭＥグループＩＤと、複数の機能・性能を表すタイプ（例えば、type1=低コスト、type3=低コスト&低遅延）とを対応付けるようにしてもよい。上記タイプの例として、3GPPの「UE Usage Type」がある。また、ＭＭＥ選択装置３０は、上記ＭＭＥグループＩＤに対応するＭＭＥ５０の情報もＭＭＥ情報として記憶してもよい。ＭＭＥ選択装置３０は、アタッチ要求したＵＥ１０の性能と、上記ＭＭＥ情報に基づいて接続するＭＭＥを選択する。このＭＭＥ選択装置３０は、ＭＭＥ５０の内部に含まれている。なお、ＭＭＥ選択装置３０は、ｅＮｏｄｅＢ２０から独立した装置（スタンドアローンである装置）であってもよいし、ｅＮｏｄｅＢ２０内部に含まれてもよい。
【００２１】
ＨＳＳ４０は、ＵＥ１０等の通信端末の契約情報、認証情報、利用サービス情報、ネットワーク情報及び在圏情報を含む加入者情報をデータベース（加入者情報記憶部４１）で管理するサーバである。ここで、利用サービス情報とは、各ＵＥ１０が利用するサービスを定義した情報である。利用サービス情報には、ＵＥ１０を識別する端末ＩＤと、当該ＵＥ１０が利用するサービスの要件を示すサービスタイプとが含まれる。ＨＳＳ４０は、ＭＭＥ５０から端末ＩＤを取得すると共にサービスタイプの取得要求を受け付けると、当該端末ＩＤに対応するサービスタイプを当該ＭＭＥ５０へ送信する。
【００２２】
ネットワーク情報とは、各ＵＥ１０がサービス（例えば、動画アプリケーションサービス、ＩＴＳアプリケーションサービス等）を利用するためのネットワーク要件を定義した情報である。ネットワーク情報の例を図３に示す、ネットワーク情報は、端末ＩＤ、端末タイプ、及びネットワーク要件（図３の例では、低コスト、低遅延等）を含む情報である。端末ＩＤは、ＵＥ１０を識別するための情報である。端末タイプは、ＵＥ１０の種別を示す情報である。なお、端末ＩＤから端末タイプが導ける場合、端末タイプを有していなくてもよい。図３の例における、端末ＩＤが「０００１」であるスマートメータが使用するサービスは、低遅延を必要としないが、コストが低い必要があることを示す。また、端末ＩＤ「０００２」である車（車載端末）が使用するサービスは、車車間通信等の即時処理を必要とする処理をするので、低遅延である必要があることを示す。なお、１つのＵＥ１０が複数のサービスを利用する場合、上記ネットワーク情報のネットワーク要件は、それぞれのサービスのネットワーク要件を組み合わせたものになる。例えば、あるＵＥ１０が低遅延であることを必要とするサービスと、低コストであることを必要とするサービスを利用する場合、ネットワーク情報のネットワーク要件には、低コストと低遅延とが含まれる。なお、端末ＩＤと、ネットワーク要件を表すタイプ（例えば、type1=低コスト、type3=低コスト&低遅延）とを対応付けるようにしてもよい。上記タイプの例として、3GPPの「UE Usage Type」がある。
【００２３】
ＭＭＥ５０は、ＬＴＥネットワークに在圏するＵＥ１０の位置管理、認証制御、及びＳＧＷ６０とｅＮｏｄｅＢ２０との間のユーザデータの通信経路の設定処理を行う部分である。ＭＭＥ５０は、ＳＧＷ６０の機能・性能を示す情報（ＳＧＷ情報）を記憶するデータベース（ＳＧＷ情報記憶部５３）を有している。ここで、ＳＧＷ情報の例を図４に示す。ＳＧＷ情報は、ＳＧＷグループＩＤと、当該ＳＧＷグループＩＤに対応するＳＧＷ６０とを対応付けた情報を含む。ＳＧＷグループＩＤとは、同じ特性を持つ（共通する機能・性能を有する）ＳＧＷ６０をグループ化したＩＤである。例えば、ＳＧＷグループＩＤが「０００１」であるＳＧＷ６０は、サービスタイプが「foo」であるサービスを提供するために適切なＳＧＷであることを示す。ＭＭＥ５０は、当該ＳＧＷ情報を用いてＵＥ１０が利用するサービスを示すサービスＩＤに対応するＳＧＷグループＩＤを特定し、当該ＳＧＷグループＩＤに対応するＳＧＷ６０の中から所定の条件（例えば、リソースの空き状況等）に基づいて１のＳＧＷ６０を決定する。ＭＭＥ５０は、決定したＳＧＷ６０に対してユーザデータの経路設定処理を行う。
【００２４】
ＳＧＷ６０は、ＬＴＥを収容する在圏パケット交換機で、ＰＧＷ（Packet datanetwork Gate Way）との間でユーザデータの送受信を行う。
【００２５】
次に、図５を参照しながら、通信システム１において特徴を有する交換機に相当するＭＭＥ選択装置３０及びＭＭＥ５０について説明する。
【００２６】
図５に示すように、ＭＭＥ選択装置３０は、要求受付部３１、端末属性取得部３２、ＭＭＥ情報記憶部３３、ＭＭＥ決定部３４、及び通知部３５を含んで構成される。また、ＭＭＥ５０は、要求受付部５１、サービス特定部５２（サービス特定手段）、ＳＧＷ情報記憶部５３、移動状態取得部５４、ＳＧＷ選択部５５（選択手段）、接続要求部５６（接続手段）、及びＭＭＥ選択装置３０の機能であるＭＭＥ選択機能３０を含んで構成される。
【００２７】
また、物理的には、ＭＭＥ選択装置３０及びＭＭＥ５０は、それぞれ図６に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるタッチパネル及びキーボード等に例示される入力装置１０６、ディスプレイ等の出力装置１０７などを含むコンピュータシステムとして構成されている。ＭＭＥ選択装置３０及びＭＭＥ５０では、図３に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで、各装置における一連の機能が実現される。
【００２８】
要求受付部３１は、ｅＮｏｄｅＢ２０からＭＭＥ選択要求を受け付ける部分である。例えば、要求受付部３１は、ｅＮｏｄｅＢ２０からＭＭＥ選択要求としてアタッチ要求を受け付ける。
【００２９】
端末属性取得部３２は、ＵＥ１０の属性情報を取得する部分である。端末属性取得部３２は、ＵＥ１０の属性情報として、当該ＵＥ１０が使用するサービスのネットワーク要件の情報（ネットワーク情報に含まれるネットワーク要件）を取得する。また、端末属性取得部３２は、ＵＥ１０の属性情報として、ＵＥ１０の端末種別（例えば、スマートフォン、タブレット、ＰＣ、ＩｏＴ端末）を示す情報、契約種別（電話、ビデオ、ＩｏＴ）を示す情報、ＲＡＴ種別（５Ｇ、４Ｇ、３Ｇ）を示す情報を取得してもよい。端末属性取得部３２は、要求受付部３１がＭＭＥ選択要求を受け付けると、ＨＳＳ４０からＵＥ１０の属性情報を取得する。
【００３０】
また、端末属性取得部３２は、移動状態の情報を取得する。移動状態の情報とは、ＵＥ１０が移動しているか否かを示す情報や、ＵＥ１０がどのように移動しているか（例えば、電車で移動している等）を示す情報である。
【００３１】
端末属性取得部３２は、移動状態の情報として、端末セル移動履歴を取得したり、アプリケーション情報を取得したりする。端末属性取得部３２は、移動状態の情報として、端末移動履歴を取得する場合、ｅＮｏｄｅＢ２０からＭＭＥ選択要求を受け付けたタイミングで端末セル移動履歴を取得する。この端末セル移動履歴とは、セル滞在時間を示す情報である。このセル滞在時間に基づいて移動状態を判断可能な情報である。例えば、セル滞在時間が長い場合、停止していると判断し、セル滞在時間が短い場合、移動していると判断する。端末セル移動履歴の具体例として、３ＧＰＰ  ＴＳ  ３６．４１３に記載されているLast Visited Cell Informationがあげられる。
【００３２】
端末属性取得部３２は、移動状態の情報として、アプリケーション情報を取得する場合、ナビゲーション等のアプリのためのアプリケーションサーバで記憶しているアプリケーション情報（ＵＥ１０の移動状態を示す情報）をＨＳＳ４０を介して取得する。
【００３３】
具体的には、ＵＥ１０が、ＵＥ１０自身の位置情報（例えば、緯度経度を示す情報）及び時刻を有する情報である位置関連情報をアプリケーションサーバへ送出する。アプリケーションサーバは、ＵＥ１０の位置関連情報に含まれる位置情報の変化に基づいて移動状態を判断する。例えば、アプリケーションサーバは、位置情報の位置が線路に沿って移動していることを示している場合には、電車に乗っていると判断する。また、アプリケーションサーバは、位置情報の位置が道路に沿って移動していることを示す場合には、位置関連情報に含まれる時刻も参照して速度に基づいて、移動状態が車移動か歩行移動かを判断する。アプリケーションサーバは、ＵＥ１０の移動状態を示す情報として、上記の判断結果（例えば、電車移動、車移動、歩行移動、移動無しを示す情報）を所定のタイミング（例えば、１時間おき）でＨＳＳ４０へ送出する。
【００３４】
端末属性取得部３２は、ＨＳＳ４０から端末属性情報を取得するタイミングで移動状態を示す情報を取得する。なお、アプリケーションサーバの代わりに、ＨＳＳ４０が位置関連情報に基づいて、移動状態を判断するようにしてもよい。
【００３５】
ＭＭＥ情報記憶部３３は、上述のように各ＭＭＥ５０の機能・性能を示す情報を記憶する部分である。
【００３６】
ＭＭＥ決定部３４は、ＵＥ１０の属性情報に基づいてＭＭＥ５０を決定する部分である。ＭＭＥ決定部３４は、端末属性取得部３２からＵＥ１０の属性情報を取得し、当該ＵＥ１０の属性情報と、ＭＭＥ情報記憶部３３に記憶されている情報とを参照してＭＭＥ５０を決定する。また、ＭＭＥ決定部３４は、端末属性取得部３２によって、ＵＥ１０の属性情報として移動状態を示す情報が取得された場合、当該移動状態を示す情報に基づいてＭＭＥ５０を決定する。例えば、端末属性取得部３２が移動状態を示す情報として、電車移動を示すアプリケーション情報を取得していた場合、ＭＭＥ決定部３４は、グループモビリティ機能を持つＭＭＥ５０を決定する。このように、ＭＭＥ決定部３４は、ＭＭＥ情報記憶部３３に記憶されている情報を参照して、属性情報及び移動状態に基づいたＭＭＥグループＩＤを決定する。ＭＭＥ決定部３４は、ＭＭＥグループＩＤに対応するＭＭＥ５０を決定するようにしてもよい。
【００３７】
通知部３５は、ＭＭＥ決定部３４によって決定されたＭＭＥグループＩＤを通知する部分である。具体的に、通知部３５は、ＭＭＥ選択要求をしたｅＮｏｄｅＢ２０へ決定されたＭＭＥグループＩＤを通知する。
【００３８】
続いて、ＭＭＥ５０の説明をする。要求受付部５１は、ｅＮｏｄｅＢ２０からアタッチ要求を受け付ける部分である。
【００３９】
サービス特定部５２は、ＵＥ１０が実行するサービスを特定する部分である。具体的には、サービス特定部５２は、ＨＳＳ４０又は、ＵＥ１０が以前に接続していたＭＭＥ５０からＵＥ１０のサービスタイプを取得することにより、サービスを特定する。ＳＧＷ情報記憶部５３は、上述のようにＳＧＷ情報を記憶する部分である。
【００４０】
移動状態取得部５４は、ＵＥ１０の移動状態を示す情報を取得する部分である。例えば、移動状態取得部５４は、要求受付部５１による要求受付時に、ｅＮｏｄｅＢ２０からＵＥ１０の移動状態を示す情報（端末セル移動履歴）を取得する。また、移動状態取得部５４は、ＨＳＳ４０からアプリケーション情報を取得する。
【００４１】
ＳＧＷ選択部５５は、サービス特定部５２によって特定されたサービスタイプに基づいてＳＧＷ６０を選択する部分である。ＳＧＷ選択部５５は、当該サービスタイプと、ＳＧＷ情報記憶部５３に記憶されている情報に基づいて、ＳＧＷ６０を選択する。具体的に、ＳＧＷ選択部５５は、サービス特定部５２によって特定されたサービスタイプをサービス特定部５２から取得し、ＳＧＷ情報記憶部５３に記憶された情報から当該サービスタイプに対応するＳＧＷグループＩＤを特定する。ＳＧＷ選択部５５は、当該ＳＧＷグループＩＤに対応するＳＧＷ６０の中から、所定の条件（例えば、各ＳＧＷ６０のリソースの空き状況等）に基づいて１のＳＧＷ６０を選択する。
【００４２】
例えば、ＳＧＷ選択部５５は、ＵＥ１０がサービスとして車内でビデオをストリーミング再生する動画アプリケーションを利用する場合、当該サービスの要件に基づいて、高速・大容量でサービスを実現可能なＳＧＷ６０を選択する。また、ＳＧＷ６０は、ＵＥ１０がサービスとして、路車間又は車車間通信を行うＩＴＳアプリケーションを利用する場合、当該サービスの要件に基づいて、低遅延でサービスを実現可能なＳＧＷ６０を選択する。
【００４３】
また、ＳＧＷ選択部５５は、移動状態取得部５４によって、取得された移動状態を示す情報に基づいてＳＧＷ６０を選択する。例えば、ＳＧＷ選択部５５は、移動状態を示す情報に基づいて、在宅時であると判断した場合、トンネルを使用しない軽量なＳＧＷ６０を選択する。
【００４４】
接続要求部５６は、ＳＧＷ選択部５５によって選択されたＳＧＷ６０へ接続要求をする部分である。
【００４５】
次に、図７〜図１２を用いて、上記の通信システムにおける接続方法を説明する。図７は、ＭＭＥ選択装置３０がＭＭＥ５０に含まれている場合のアタッチ処理を示すシーケンス図であり、図８は、ＭＭＥ選択装置３０がスタンドアロンである場合のアタッチ処理を示すシーケンス図である。図９は、ＭＭＥ選択装置３０が、ｅＮｏｄｅＢ２０に含まれている場合のアタッチ処理を示すシーケンス図である。図１０は、ＵＥ１０が新たなサービス要求を行った場合におけるＳＧＷの選択処理を示すシーケンス図である。図１１は、ＴｒａｃｋｉｎｇＡｒｅａの変更処理を示すシーケンス図である。図１２は、Ｈａｎｄｏｖｅｒ処理を示すシーケンス図である。
【００４６】
まず、図７を参照しながら、ＭＭＥ選択装置３０がＭＭＥ５０に含まれている場合のアタッチ処理を説明する。
【００４７】
まず、ＵＥ１０は、ｅＮｏｄｅＢ２０に対してAttach Request信号を送信することによりアタッチ要求をする（ステップＳ１０１）。ｅＮｏｄｅＢ２０は、上記アタッチ要求に応じて、ＭＭＥ選択装置３０に対してInitial UE信号によりアタッチ要求をする（ステップＳ１０２）。なお、ｅＮｏｄｅＢ２０は、ロードバランスに基づいて、アタッチ要求対象のＭＭＥ５０Ａ（ＭＭＥ選択装置３０）を決定する。また、ｅＮｏｄｅＢ２０は、ステップＳ１０２のアタッチ要求時に、端末セル移動履歴をＭＭＥ５０Ａへ送信する。
【００４８】
ＭＭＥ選択装置３０の要求受付部５１は、当該アタッチ要求を受け付ける。続いて、ＭＭＥ選択装置３０の要求受付部５１は、当該アタッチ要求に係る信号に基づいて、直前に当該ＵＥ１０が接続していたＭＭＥ５０Ｂに対して、ＵＥ１０を特定する情報を送信すると共に、当該ＵＥ１０に係る情報の提供要求（Identification/Context Request）を送信する。
【００４９】
ＭＭＥ５０Ｂは、上記のＵＥ１０に係る情報の提供要求を受け付けて、ＵＥ１０に係る情報（Identification/ContextResponse）をＭＭＥ５０Ａへ送信する（ステップＳ１０３）。ＭＭＥ選択装置３０の端末属性取得部３２は、端末属性情報として、上記ＵＥ１０に係る情報（例えば、ネットワーク情報）を取得する。また、端末属性取得部３２は、ｅＮｏｄｅＢ２０から端末セル移動履歴を取得する。
【００５０】
ＭＭＥ選択装置３０は、ＵＥ１０のＩＤ要求を示すIdentity Request信号をＵＥ１０へ送信し、ＵＥ１０は、これに応じてＵＥ１０のＩＤ通知を示すIdentity Response信号をＭＭＥ選択装置３０へ送信する（ステップＳ１０４）。
【００５１】
ＭＭＥ選択装置３０は、位置登録の要求を示すUpdate Location Request信号をＨＳＳ４０へ送信し、ＨＳＳ４０から上記端末属性情報を含むUpdate Location Acknowledge信号を受信する（ステップＳ１０５）。また、ＭＭＥ選択装置３０は、上記ＵＥ１０に係る情報をＨＳＳ４０へ送信し、ＨＳＳ４０が当該情報に基づいて追加情報があれば、ＵＥ１０に係る追加情報をＭＭＥ選択装置３０へ送信する。端末属性取得部３２は、この追加情報を取得する。
【００５２】
ＭＭＥ選択装置３０のＭＭＥ決定部３４は、ＭＭＥ情報記憶部３３に記憶されている情報を参照して、端末属性取得部３２が取得した情報に対応するＭＭＥ５０（ＭＭＥ５０のグループ）を選択する(ステップＳ１０６)。
【００５３】
ＭＭＥ選択装置３０の通知部３５は、別のＭＭＥ５０へのアタッチ要求する旨の通知であるRe-routeNAS Request信号をｅＮｏｄｅＢ２０へ送信する。当該通知部３５は、上記信号を送信することにより、ＭＭＥ決定部３４によって決定されたＭＭＥ５０のグループ（ＭＭＥグループＩＤ）を通知すると共に、当該ＭＭＥ５０へのアタッチ要求を通知する。ｅＮｏｄｅＢ２０は、これに応じて、上記ＭＭＥグループＩＤに対応するＭＭＥ５０の何れかをアタッチ対象に決定し、決定したＭＭＥ５０へAttach 信号を送信することによりアタッチ要求する（ステップＳ１０７）。
【００５４】
この後で、新たなＭＭＥ５０Ｃへアタッチ要求をするので、ＵＥ１０、ｅＮｏｄｅＢ２０、新たなＭＭＥ５０Ｃ、及びＨＳＳ４０の間で、ＵＥ１０の新たな認証（再認証）を行う（ステップＳ１０８）。そして、ＭＭＥ５０は、位置登録の更新を示すUpdate Location信号をＨＳＳ４０へ送信し、位置登録の更新を行う（ステップＳ１０９）。ＨＳＳ４０は、上記Update Location信号の受信に応じて、ＵＥ１０の端末属性情報をＭＭＥ５０Ｃへ送信する。また、この時に、新たなＭＭＥ５０Ｃのサービス特定部５２は、ＨＳＳ４０からＵＥ１０のサービスＩＤを取得する。なお、移動状態取得部５４は、ステップＳ１０９のタイミングでアプリケーション情報をＨＳＳ４０から取得する。
【００５５】
続いて、ＭＭＥ５０ＣのＳＧＷ選択部５５は、当該サービスＩＤ及びアプリケーション情報に対応する１のＳＧＷ６０を選択する（ステップＳ１１０）。なお、ＨＳＳ４０からＵＥ１０のサービスＩＤを複数取得した場合、ＭＭＥ５０ＣのＳＧＷ選択部５５は、サービスＩＤ及びアプリケーション情報に対応するＳＧＷ６０を選択する。接続要求部５６は、ＳＧＷ選択部５５によって選択されたＳＧＷ６０に対してセッション生成要求を示すCreate Session Request信号を送信する。ＳＧＷ６０は、これに応じて、ＰＧＷに対してCreate Session信号を送信する。ＳＧＷ６０は、新たなＭＭＥ５０Ｃに対して、セッション生成完了を示すCreate Session Response信号を送信する（ステップＳ１１１）。
【００５６】
この後で、新たなＭＭＥ５０Ｃは、セキュリティ情報等の情報送信要求を示すInitialContext Setup Request信号をｅＮｏｄｅＢ２０へ送信し（ステップＳ１１２）、ｅＮｏｄｅＢ２０は、ＲＲＣコネクション再構成指示を示すRRC Connection Reconfiguration 信号をＵＥ１０へ送信する（ステップＳ１１３）。また、ｅＮｏｄｅＢ２０は、情報送信要求に対する情報送信応答を示すInitial Context Setup Response信号を新たなＭＭＥ５０Ｃへ送信する（ステップＳ１１４)。
【００５７】
ＵＥ１０は、ｅＮｏｄｅＢ２０へ伝送メッセージ送信を示すDirect Transfer信号を送信し（ステップＳ１１５）、ｅＮｏｄｅＢ２０は、新たなＭＭＥ５０Ｃへアタッチ完了を示すAttach Complete信号を送信する（ステップＳ１１６）。
【００５８】
続いて、新たなＭＭＥ５０Ｃ、ＳＧＷ６０と、ＰＧＷとの間において、ベアラを確立する処理を行う（ステップＳ１１７）。具体的には、新たなＭＭＥ５０Ｃが、ベアラ確立要求を示すModify Bearer Request信号をＳＧＷ６０へ送信し、当該ＳＧＷ６０がＰＧＷへベアラ確立を示すModify Bearer信号を送信し、ＳＧＷ６０から新たなＭＭＥ５０Ｃへベアラ確立完了を示すModify Bearer Response信号を送信する。
【００５９】
新たなＭＭＥ５０Ｃは、ＨＳＳ４０に対してアタッチ通知要求（NotifyRequest）を行い、ＨＳＳ４０から当該アタッチ通知要求の返答（Notify Response）を受信する（ステップＳ１１８)。
【００６０】
続いて、図８を用いて、ＭＭＥ選択装置３０がスタンドアロンの装置である場合の処理を説明する。
【００６１】
まず、ＵＥ１０は、ｅＮｏｄｅＢ２０へAttach Request信号を送信する（ステップＳ２０１）。
【００６２】
続いて、ｅＮｏｄｅＢ２０は、ＭＭＥ選択装置３０に対してＭＭＥ選択要求を示すMMESelection Request信号を送信する（ステップＳ２０２）。ＭＭＥ選択装置３０の要求受付部３１は、当該MME Selection Request信号に基づいてＭＭＥ選択要求を受け付ける。ＭＭＥ選択装置３０の端末属性取得部３２は、ＨＳＳ４０へ端末属性情報の要求を示すUE Capability Request信号を送信することにより、ＵＥ１０の属性情報の取得要求をする。ＨＳＳ４０は、これに応じて、ＭＭＥ選択装置３０へＵＥ１０の属性情報を送信し、ＭＭＥ選択装置３０の端末属性取得部３２は、当該ＵＥの属性情報（アプリケーション情報を含む）を取得する（ステップＳ２０３）。
【００６３】
ＭＭＥ決定部３４は、ＭＭＥ情報記憶部３３に記憶されている情報を参照して、端末属性取得部３２が取得した情報に対応するＭＭＥ５０を決定する(ステップＳ２０４)。
【００６４】
通知部３５は、ＭＭＥ選択応答を示すMME Selection Response信号をｅＮｏｄｅＢ２０へ送信し、ＭＭＥ決定部３４によって決定されたＭＭＥグループＩＤを通知する（ステップＳ２０５）。ｅＮｏｄｅＢ２０は、これに応じて、上記ＭＭＥグループＩＤに対応するＭＭＥ５０の何れかをアタッチ対象に決定し、決定したＭＭＥ５０（ＭＭＥ５０Ｂ）へアタッチ要求する（ステップＳ２０６）。これ以降の処理は、図７に示したシーケンス図のステップＳ１０８〜ステップＳ１１８と同様のため、説明を省略する。
【００６５】
続いて、図９を用いてＭＭＥ選択装置３０がｅＮｏｄｅＢ２０に含まれる場合の処理を説明する。
【００６６】
まず、ＵＥ１０は、ｅＮｏｄｅＢ２０へ端末（ＵＥ１０）の属性情報と共にAttachRequest信号を送信する（ステップＳ３０１）。ＭＭＥ選択装置３０の要求受付部３１は、当該信号を受信し、ＭＭＥ選択要求を受け付ける。また、端末属性取得部３２は、当該ＵＥ１０の属性情報（ネットワーク情報のネットワーク要件）を取得する。
【００６７】
ＭＭＥ決定部３４は、ＭＭＥ情報記憶部３３に記憶されている情報、ｅＮｏｄｅＢ２０が記憶している端末セル移動履歴を参照して、端末属性取得部３２が取得した情報に対応するＭＭＥ５０（ＭＭＥ５０Ｂ）を決定する(ステップＳ３０２)。なお、ＭＭＥ５０Ａは、以前に接続していたＭＭＥ５０である。
【００６８】
ｅＮｏｄｅＢ２０は、ＭＭＥ決定部３４によって決定されたＭＭＥ５０Ｂへアタッチ要求する（ステップＳ３０３）。これ以降の処理は、図７に示したシーケンス図のステップＳ１０８〜ステップＳ１１８と同様のため、説明を省略する。
【００６９】
続いて、図１０のシーケンス図を用いて、図７〜９に示したアタッチ処理を実行した後に、ＵＥ１０から新たなサービスの追加通知がなされた場合における処理を説明する。ＵＥ１０は、ＭＭＥ選択装置３０によって選択されたＭＭＥ５０の情報（接続先等）を記憶しているものとする。まず、ＵＥ１０により、ＭＭＥ５０へ新たなサービスの追加通知を示すPDN Connectivity Request信号が送信される。このPDNConnectivity Request信号には、上記新たなサービスを示すサービスＩＤの情報も含まれる。１つの新たなサービス毎にＵＥ１０は、PDN Connectivity Request信号を送信する。ＭＭＥ５０の要求受付部５１は、当該信号を受け付ける（ステップＳ４０１）。また、ＭＭＥ５０のサービス特定部５２は、当該信号からサービスを特定する。続いて、ＭＭＥ５０のＳＧＷ選択部５５は、当該信号から特定されるサービスに基づいてＳＧＷ６０を選択する（ステップＳ４０２）。
【００７０】
接続要求部５６は、ＳＧＷ選択部５５によって選択されたＳＧＷ６０に対してCreateSession Request信号を送信する。ＳＧＷ６０は、これに応じて、ＰＧＷに対して、CreateSession信号を送信する。ＳＧＷ６０は、新たなＭＭＥ５０Ｃに対して、Create SessionResponse信号を送信する（ステップＳ４０３）。この後、公知のＰＤＮ接続処理（例えば、3GPP TS23.401に記載の発明）を行い（ステップＳ４０４）、処理を終了する。このように、ＭＭＥ５０は、ＵＥ１０から新たなサービスの追加通知を受ける度に、当該サービスの要件に応じたＳＧＷ６０をそれぞれ選択するので、サービス毎に動的にＳＧＷ６０を選択することができる。
【００７１】
続いて、図１１に示すシーケンス図を用いて、新たな通信接続先を選択するトラッキングエリア更新処理を説明する。ＵＥ１０が、ステップＳ５０１において、ＴＡＵ処理のトリガを検知する（例えば、ＵＥ１０が、あるｅＮｏｄｅＢ２０を新たな通信接続先として選択すべきであると判断する）と、ＵＥ１０によりｅＮｏｄｅＢ２０へトラッキングエリア更新要求を示すTAU Request信号が送信される。ｅＮｏｄｅＢ２０は、当該TAU Request信号を受信する（ステップＳ５０２）。ｅＮｏｄｅＢ２０は、当該TAU Request信号の受信に応じて、ＭＭＥ選択装置３０へＭＭＥ選択要求を送信し、ＭＭＥ選択装置３０は、当該ＭＭＥ選択要求を受け付ける（ステップＳ５０３）。
【００７２】
ＭＭＥ選択装置３０の端末属性取得部３２は、ＨＳＳ４０へＵＥ１０の属性情報の取得要求をし、ＨＳＳ４０から当該ＵＥの属性情報を取得する（ステップＳ５０４）。
【００７３】
ＭＭＥ選択装置３０のＭＭＥ決定部３４は、ＭＭＥ情報記憶部３３に記憶されている情報を参照して、端末属性取得部３２が取得した情報に対応するＭＭＥを決定する(ステップＳ５０５)。
【００７４】
通知部３５は、ＭＭＥ選択応答として、ＭＭＥ決定部３４によって決定されたＭＭＥ５０（ＭＭＥ５０Ａ）を通知する（ステップＳ５０６）。ｅＮｏｄｅＢ２０は、これに応じて、ＭＭＥ決定部３４によって決定されたＭＭＥ５０ＡへTAU Request信号を送信する（ステップＳ５０７）。
【００７５】
ＭＭＥ５０Ａは、ＭＭＥ５０Ｂに対してContext Request信号を送信することにより、端末属性情報の問合せをする。ＭＭＥ５０Ｂは、この問合せに対して、端末属性情報を含むContext Response信号を送信することにより、ＭＭＥ５０Ａに対してサービスＩＤを送信する。ＭＭＥ５０Ａは、当該サービスＩＤを受信する（ステップＳ５０８）。
【００７６】
上記のように、ＭＭＥ５０Ａが、サービスＩＤを取得すると、認証処理及びセキュリティ情報の送受信が行われる（ステップＳ５０９）。具体的には、ＭＭＥ５０Ａは、認証要求（Authentication Request）をｅＮｏｄｅＢ２０へ送信する。そして、ｅＮｏｄｅＢ２０は、下りデータをＵＥ１０へ送信する。この下りデータに、たとえば認証要求の情報が含まれる。また、ＵＥ１０は、上りデータをＵＥ１０へ送信する。この上りデータに、例えば、認証応答の情報が含まれる。ＭＭＥ５０Ａは、セキュリティ処理としてセキュリティ情報をｅＮｏｄｅＢ２０へ送信する。そして、ｅＮｏｄｅＢ２０は、ＭＭＥ５０Ａから受信したセキュリティ情報に対するセキュリティ完了通知をＭＭＥ５０Ａへ送信する。
【００７７】
続いて、ＭＭＥ５０Ａは、端末属性情報の受信通知（ContextAcknowledge）をＭＭＥ５０Ｂへ送信する（ステップＳ５１０）。ＭＭＥ５０のサービス特定部５２は、ステップＳ５０８においてサービスＩＤを取得することにより、サービスを特定する。続いて、ＭＭＥ５０のＳＧＷ選択部５５は、サービスＩＤに基づいてＳＧＷ６０を選択する（ステップＳ５１１）。ＭＭＥ５０Ａのサービス特定部５２によって、複数のサービスが特定された場合、ＭＭＥ５０ＡのＳＧＷ選択部５５は、それぞれのサービス毎に、サービスＩＤに基づいてＳＧＷ６０を選択する。
【００７８】
接続要求部５６は、ＳＧＷ選択部５５によって選択されたＳＧＷ６０に対してCreateSession Request信号を送信する。ＳＧＷ６０は、これに応じて、ＰＧＷに対して、CreateSession信号を送信する。この後、公知のＳＧＷ６０の接続処理（例えば、3GPP TS 23.401に記載の処理）を行い、処理を終了する。
【００７９】
続いて、図１２に示すシーケンス図を用いてハンドオーバ時の処理を説明する。まず、ステップＳ６０１において、Ｓ１インターフェイスを介したハンドオーバを行うことを決定すると、ハンドオーバ前にＵＥ１０に関する制御を行うＭＭＥ５０Ａへハンドオーバを要求するためのHandover Requiredメッセージを送信する（ステップＳ６０２）。当該ＭＭＥ５０Ａは、ＭＭＥ選択装置３０へＭＭＥ選択要求をする（ステップＳ６０３）。ＭＭＥ選択装置３０の要求受付部３１は、当該ＭＭＥ選択要求を受け付けると、ＨＳＳ４０へ端末属性情報の要求をする。ＨＳＳ４０は、当該端末属性情報の要求に応じて、ＭＭＥ選択装置３０へ端末属性情報を送信する。ＭＭＥ選択装置３０の端末属性取得部３２は、端末属性情報を受信する（ステップＳ６０４）。
【００８０】
ＭＭＥ選択装置３０のＭＭＥ決定部３４は、ＭＭＥ情報記憶部３３に記憶されている情報を参照して、端末属性取得部３２が取得した情報に対応するＭＭＥ５０（ＭＭＥ５０Ｂ）を決定する(ステップＳ６０５)。ＭＭＥ選択装置３０の通知部３５は、ＭＭＥ選択応答として、ＭＭＥ決定部３４によって決定されたＭＭＥ５０ＢをＭＭＥ５０Ａへ通知する（ステップＳ６０６）。続いて、ＭＭＥ５０Ａは、ハンドオーバ後にＵＥ１０に関する制御を行うＭＭＥ５０Ｂへパケットの転送の変更を要求するためのForward Relocation Requestメッセージを送信する（ステップＳ６０７）。
【００８１】
ＭＭＥ５０の要求受付部５１は、当該Forward RelocationRequestメッセージを受け付ける。また、ＭＭＥ５０のサービス特定部５２は、ステップＳ６０７のタイミングで、ＭＭＥ５０ＡからＵＥ１０のサービスＩＤを引き継ぐことによりサービスを特定する。続いて、ＭＭＥ５０ＢのＳＧＷ選択部５５は、当該信号から特定されるサービスＩＤに基づいてＳＧＷ６０を選択する（ステップＳ６０８）。
【００８２】
接続要求部５６は、ＳＧＷ選択部５５によって選択されたＳＧＷ６０に対してCreateSession Request信号を送信する。この後、公知のＳＧＷ６０の接続処理（例えば、3GPP TS23.401に記載の処理）を行い、処理を終了する。
【００８３】
上述の実施形態では、ＭＭＥ５０のサービス特定部５２が、ＨＳＳ４０からサービスタイプを取得する場合について述べたが、ＨＳＳ４０が加入者情報として、サービスに対応するＳＧＷグループＩＤを記憶している場合、ＨＳＳ４０からサービスタイプの代わりにＳＧＷグループＩＤを取得するようにしてもよい。この場合、ＳＧＷ選択部５５は、ＳＧＷグループＩＤとサービスタイプを対応付けた情報を有していなくても、ＳＧＷ６０を選択することができる。
【００８４】
上述の実施形態では、端末属性取得部３２が、移動状態の情報として、端末セル移動履歴を取得したり、アプリケーション情報を取得したりする場合について述べたが、移動状態の情報として、ＵＥ１０が接続している基地局の種別を示す情報を取得するようにしてもよい。例えば、移動基地局（ムービングセル）に接続している旨の情報を取得した場合、ハンドオーバが発生しないことにより、ネットワーク上は移動が発生しないので、「停止」と判断できる。また、家・施設などに設置されているフェムトセルに接続している旨の情報を取得した場合、ＵＥ１０のユーザがしばらく外に出ないと考えられるため、「停止」と判断できる。
【００８５】
次に、本実施形態における通信システム１の作用効果について説明する。本実施形態の通信システム１において、サービス特定部５２が、接続要求したＵＥ１０によって使用されるサービスを特定する。そして、ＳＧＷ選択部５５が、サービス特定部５２によって特定されたサービスに基づいてＳＧＷ６０を選択する。そして、接続要求部５６は、ＳＧＷ選択部５５によって選択されたＳＧＷ６０へ接続する。これにより、ユーザが要求するサービスを適切に提供することができる。よって、ユーザ端末（ＵＥ）が要求するサービスの要件により動的に通信制御装置を選択することができる。
【００８６】
また、ＭＭＥ５０を決定するためのＭＭＥ選択装置３０における端末属性取得部３２が、ＵＥ１０の属性を取得する。ＭＭＥ決定部３４が、ＵＥ１０の属性に基づいて、ＳＧＷ６０へ接続するＭＭＥ５０を決定する。この場合、ＵＥ１０の属性に基づいてＭＭＥ５０を選択するので、ＭＭＥ５０によって、適切なＳＧＷ６０が選択されうる。この結果、ＭＭＥ選択装置３０が、ＵＥ１０の属性に対してオーバスペックであるＭＭＥ５０を選択してしまう可能性を低減することができる。
【００８７】
また、端末属性取得部３２は、ＵＥ１０の属性として、当該ＵＥ１０の移動状態を示す情報を取得する。この場合、ＵＥ１０の移動状態に基づいたＭＭＥ５０を選択することができる。具体例を図１３に示す。複数のＭＭＥに異なるＴＡ（Tracking Area）が設定されているものとする。ＭＭＥ１は、線路に沿った細長いＴＡであるＴＡ１を設定しており、ＭＭＥ２は、標準的なＴＡであるＴＡ２を設定しているものとする。
【００８８】
この場合に、ＭＭＥ決定部３４は、上記の移動状態を示す情報に基づいて、ＵＥ１０が線路に沿って移動していると判断した場合、ＭＭＥ１に決定する。一方、ＵＥ１０が道路に沿って移動していると判断した場合、ＭＭＥ２に決定する。
【００８９】
移動状態取得部５４は、ＵＥ１０の移動状態を示す情報を取得し、ＳＧＷ選択部５５は、移動状態取得部５４により取得されたＵＥ１０の移動状態を示す情報にさらに基づいてＳＧＷ６０を選択する。この場合、ＵＥ１０の移動状態に基づいてＳＧＷ６０を選択するので、ＵＥ１０が移動していれば、モビリティ制御が可能な通信制御装置を選択し、ＵＥ１０が移動していなければ、モビリティ制御を考慮せずにＳＧＷ６０を選択することができる。従って、サービス要件（サービスを実行するためのネットワーク要件）以外の機能を有する通信制御装置を使用してしまう可能性を低減することができる。この結果、各サービスの要件を満たしつつコストを低減することができる。
【００９０】
また、サービス特定部５２は、ＵＥ１０によって使用される複数のサービスを特定する。ＳＧＷ選択部５５は、サービス特定部５２によって特定された複数のサービス毎にＳＧＷ６０を選択する。この場合、サービス単位で適切なＳＧＷ６０を選択するので、ＵＥ１０が要求するサービスの要件や端末の移動状態の条件により動的にＳＧＷ６０を選択することができる。すなわち、単一のＵＥ１０上で実行される複数のサービスの要件に合わせて、個別にＳＧＷ６０を選択するので、各サービスの要件を満たしつつ、ＳＧＷ６０の使用に関するコストを低減させることができる。
【符号の説明】
【００９１】
１…通信システム、１０…ＵＥ（端末）、２０…ｅＮｏｄｅＢ、３０…ＭＭＥ選択装置、３１…要求受付部、３２…端末属性取得部、３３…ＭＭＥ情報記憶部、３４…ＭＭＥ決定部、３５…通知部、４０…ＨＳＳ、４１…加入者情報記憶部、５０…ＭＭＥ、５１…要求受付部、５２…サービス特定部、５３…ＳＧＷ情報記憶部、５４…移動状態取得部、５５…ＳＧＷ選択部、５６…接続要求部、６０…ＳＧＷ。
【図１】
2017017379.tif 000003
【図２】
2017017379.tif 000004
【図３】
2017017379.tif 000005
【図４】
2017017379.tif 000006
【図５】
2017017379.tif 000007
【図６】
2017017379.tif 000008
【図７】
2017017379.tif 000009
【図８】
2017017379.tif 000010
【図９】
2017017379.tif 000011
【図１０】
2017017379.tif 000012
【図１１】
2017017379.tif 000013
【図１２】
2017017379.tif 000014
【図１３】
2017017379.tif 000015